(57)【特許請求の範囲】
【請求項１】
液圧ユニット及び制御基板を内蔵した電子制御ユニットからなり、前記液圧ユニットがそのハウジングに立設された弁アッシーにコイルアッシーを外装して構成する複数の電磁弁と、電磁弁を覆う電磁弁カバーと、液圧ポンプと、液圧ポンプを作動するモータとを具備し、電子制御ユニットにより液圧ユニットの電磁弁及びモータを作動して液圧を制御する液圧制御装置において、
前記電磁弁カバーが椀形を呈するカバーハウジングと、該カバーハウジングの開口部を閉鎖する蓋とよりなり、
前記カバーハウジングの底部に形成した嵌挿孔に電磁弁の弁アッシーを貫挿して前記カバーハウジングの底部を液圧ユニットのハウジングの据付面に接面し、
カバーハウジング内に位置する弁アッシーに外装されたコイルアッシーの取着手段をカバーハウジングの取着手段として兼用させたことを特徴とする、
液圧制御装置。
【請求項２】
請求項１に記載の液圧制御装置において、カバーハウジングの底部が接面するハウジングの据付面との間にシール材を介挿したことを特徴とする、液圧制御装置。
【請求項３】
請求項１に記載の液圧制御装置において、コイルアッシーの取着手段が、電磁弁の弁アッシーに取着するグリップリングであることを特徴とする、液圧制御装置。
【発明の詳細な説明】
【０００１】
【発明の属する技術分野】
本発明は車輪の液圧を電子制御するＡＢＳ，ＴＣＳ等の装着車両に適用可能な液圧制御装置に関する。
【０００２】
【従来の技術】
図６を基に従来の液圧制御装置について説明すると、液圧制御装置は液圧ユニットと電子制御ユニット（図示せず）とからなり、液圧ユニットのハウジングａには複数の電磁弁ｂや液圧ポンプやこれを駆動するモータｃなどを具備している。  電磁弁ｂは水気を嫌う電装部品であるから椀状の電磁弁カバーｄを被せ、電磁弁カバーｄの開口部側をハウジングａに接面させてボルトｅで固定している。又、電磁弁カバーｄの開口部とハウジングａとの当接部間のシール性を確保するため、電磁弁カバーｄの開口部側にシール材を設けている。
【０００３】
【発明が解決しようとする課題】
電磁弁カバーｄの開口部に大きなシール面積を確保することが困難である。
そのため、電磁弁カバーｄのシール性能はシール材に依存しているが、シール材は長期間の使用や厳環境下での使用により劣化することから、シール性に対する信頼性が低いものであった。
シール材が劣化したり損傷すると、電磁弁カバーｄの開口部とハウジングの当接部から水が入り込み、電磁弁ｂを発錆或いは腐食させて作動不良起こす。
又、図６のようにハウジングａの交差する二面ｆ，ｇに電磁弁カバーｄを取り付ける場合のように、電磁弁カバーｄとハウジングａの当接面の数が増すほどシール性確保が益々困難となって、前記した問題が起き易くなる。
【０００４】
又、電磁弁カバーの内部に電装部品制御用の制御基板を内蔵したインティグラルタイプにあっては、浸水が電子部品の故障や誤作動の誘発要因となる。
更に、電磁弁カバーをボルトで固定する場合は、カバーの周縁に形成したボルト挿通孔の分だけカバー内の平面積が少なくなり、カバー内部に収容可能な制御基板の大きさに制約を与える。装置の小形化に伴い制御基板の過密設計が限界にある現在、ボルト挿通孔の存在が制御基板の設計をより困難なものとしている。
【０００５】
本発明は以上の点に鑑みて成されたもので、その目的とするところはつぎの液圧制御装置を提供することにある。
▲１▼シール性に対する信頼性が高く、電装部品や電子部品の保証期間を延長化できる、液圧制御装置を提供すること。
▲２▼コイルアッシーの取付けが容易な、液圧制御装置を提供すること。
▲３▼装置の小形化を促進できる、液圧制御装置を提供すること。
【０００６】
【問題点を解決するための手段】
すなわち、本発明は液圧ユニット及び制御基板を内蔵した電子制御ユニットからなり、前記液圧ユニットがそのハウジングに立設された弁アッシーにコイルアッシーを外装して構成する複数の電磁弁と、電磁弁を覆う電磁弁カバーと、液圧ポンプと、液圧ポンプを作動するモータとを具備し、電子制御ユニットにより液圧ユニットの電磁弁及びモータを作動して液圧を制御する液圧制御装置において、前記電磁弁カバーが椀形を呈するカバーハウジングと、該カバーハウジングの開口部を閉鎖する蓋とよりなり、前記カバーハウジングの底部に形成した嵌挿孔に電磁弁の弁アッシーを貫挿して前記カバーハウジングの底部を液圧ユニットのハウジングの据付面に接面し、カバーハウジング内に位置する弁アッシーに外装されたコイルアッシーの取着手段をカバーハウジングの取着手段として兼用させたことを特徴とする、液圧制御装置である。
さらに本発明は前記した液圧制御装置において、カバーハウジングが当接するハウジングの据付面との当接部間にシール材を介挿したことを特徴とする、液圧制御装置である。
さらに本発明は前記した液圧制御装置において、コイルアッシーの取着手段が、電磁弁の弁アッシーに取着するグリップリングであることを特徴とする、液圧制御装置である。
【０００７】
【発明の実施の形態１】
以下図面を参照しながら本発明の実施の形態について説明する。
【０００８】
〈イ〉液圧制御装置の概略
液圧制御装置は液圧ユニットと、これを制御する電子制御ユニットとよりなる。  図１において、符号１０は液圧ユニットのハウジングで、その内部に液圧ポンプが内蔵され、ハウジングの一側面に設けたモータにより液圧ポンプが稼働するようになっている。又、ハウジング１０の内部に流路が穿設されていると共に、マスタシリンダの発生液圧が各ホイールシリンダへ伝達されるように、ハウジング１０内の流路がホイールシリンダとマスタシリンダと夫々配管を介して接続している。
【０００９】
本例ではハウジング１０の角部がＬ字形に切除され、この切除部の据付面１１に複数の電磁弁２０を上向きに取り付ける場合について説明するが、電磁弁２０の取付方向は横向き、或いは下向きであってもよく、又、その取付位置も図示した位置に限定されるものでない。
【００１０】
電磁弁２０はドーム形の弁アッシー２１と環状のコイルアッシー２２とよりなる。弁アッシー２１はその内部に常時開式又は常時閉式の弁機構を内蔵し、コイルアッシー２２への通電により生じる電磁力を受けて前記弁機構が開閉作動する構造になっている。弁アッシー２１の裾部がハウジング１０のボア孔１２に収容され、加締め等により据付面１１に固着される。コイルアッシー２２は、スリーブ２１ａに外装されるコイル２２ａと、コイル２２ａを外装するヨーク２２ｂ及びヨークリング２２ｃとからなり、弁アッシー２１のスリーブ２１ａに外装される。コイルアッシー２２は弁アッシー２１のスリーブ２１ａの先端部に装着したグリップリング２３により止着される。このグリップリング２３は後述する電磁弁カバー３０の取着手段としても機能する。
【００１１】
〈ロ〉電磁弁カバー
従来は電磁弁カバーの開口部側をハウジングに接面するように被せていた。本発明は以下に説明するように従来の発想と逆の被覆形態を採用した。すなわち、電磁弁カバー３０は底部３１の周囲に側部３２を一体に形成した椀形を呈するカバーハウジング３３と、カバーハウジング３３の開口部を閉鎖する蓋３４とからなり、カバーハウジング３３の底部３１側をハウジング１０の据付面１１に接面させて取り付けるようにした。これは電磁弁カバー３０とハウジング１０の据付面１１との間の接触面積を広く確保してシール性を高めることと、コイルアッシー２２の組付性を改善するためである。
【００１２】
より具体的に説明すると、カバーハウジング３３の底部３１に弁アッシー２１のスリーブ２１ａが挿通可能な複数の嵌挿孔３５が穿設されていて、カバーハウジング３３の底部３１を各弁アッシー２１のスリーブ２１ａに貫挿させて設置できるようになっている。
【００１３】
又、据付面１１と当接するカバーハウジング３３の底部３１の周縁には、全ての弁アッシー２１を包囲する大きさのシール材３６が設けられている。このシール材３６によりカバーハウジング３３の底部３１とハウジング１０の据付面１１との間のシール性が確保される。カバーハウジング３３の底部３１は他方の開口部の端面と比べて面積が広いことから、シール材３６には簡易で安価なものを使用できる。
【００１４】
又、電磁弁カバー３０の取着手段について説明すると、これまではボルトやビス類を用いて液圧ユニットのハウジング１０に取着してきたが、本発明ではグリップリング２３を用いて取着する手法を採用した。
すなわち、カバーハウジング３３内に突出する弁アッシー２１のスリーブ２１ａにコイルアッシー２２を外装した後、スリーブ２１ａの先端部にグリップリング２３を取着することで、コイルアッシー２２とカバーハウジング３３の両部材を同時に止着するようにした。
【００１５】
又、カバーハウジング３３の側部３２の一部に窓穴３７が穿設され、この窓穴３７にシール部材３８が装着されている。コイル端子２４又は端子２４に電気的に接続した導電体２５は前記シール部材３８を貫通してカバー外へ案内され、図示しないプリント基板又はハーネス等の中継導体を介して制御基板と電気的に接続している。シール部材３８の弾力性に起因して、窓穴３７とシール部材３８の間及びコイル端子２４又は導電体２５とシール部材３８の間が良好にシールされる。
【００１６】
蓋３４はカバーハウジング３３の側部３２の内周面に形成した溝部３２ａに嵌着される。又、蓋３４とカバーハウジング３３の間に公知の弾性のあるシール材（図示せず）を介装して、これらの間のシール性を確保する。
【００１７】
【発明の実施の形態２】
以下に本発明の他の実施の形態について説明するが、本実施の形態以降の説明に際し、既述した実施形態１と同一の部位は同一の符号を付して説明を省略する。  図２は電磁弁カバー３０Ａに電子制御ユニットを構成する制御基板４３を内蔵するインテグラルタイプに適用した一例を示す。
カバーハウジング３３の底部３１を液圧ユニットのハウジング１０の一部の側面に当接させる点や、グリップリング２３によりコイルアッシー２２と共に電磁弁カバー３０を止着する点や、カバーハウジング３３の開口部を蓋３４で閉塞する点は、既述した実施の形態１と同様である。
本実施の形態の場合、制御基板４３はカバーハウジング３３により支持され、電磁弁２０のコイル端子２４と直接電気的に接続される。
【００１８】
【発明の実施の形態３】
図３は液圧ユニットのハウジング１０に電子制御ユニット４０を一体化させたインテグラルタイプに適用した他の例を示す。
電子制御ユニット４０は皿状の基板支持部材４１と、基板支持部材４１の開口部を封鎖する基板カバー４２と、基板支持部材４１に支持された制御基板４３とよりなる。
基板支持部材４１の底面４１ａは液圧ユニットのハウジング１０の側面１３に接面して配置され、底面４１ａの図面下部に突設した接続突起４１ｂが電磁弁カバー３０Ｂを構成するカバーハウジング３３の側部３２に開設した接続孔３２ｂと嵌合している。図４に接続突起４１ｂと接続孔３２ｂの嵌合部の拡大図を示す。接続突起４１ｂの周面にシール４１ｃが装着されていて、接続孔３２ｂとの間のシール性が確保されている。
コイルアッシー２２から延びる導電体２５が接続突起４１ｂを貫通して、制御基板４３に電気的に接続している。
尚、基板支持部材４１をハウジング１０に固定する手段としては、ボルト止めによってもよい。
又、基板支持部材４１と基板カバー４２の間は凹凸嵌合構造になっていて、基板支持部材４１の開口側の端面全周に設けたシール材４１ｄが良好に防水している。
【００１９】
図３に示すように、液圧ユニットのハウジング１０の他方の側面１４にモータ５０が配置され、モータ５０から延びる接続端子５１が、ハウジング１０を貫通して穿設した案内孔１５及び基板支持部材４１の底面４１ａを貫挿して制御基板４３に電気的に接続している。また図３中の符号３５は水抜孔である。
【００２０】
【発明の実施の形態４】
図３では電磁弁カバー３０Ｂのカバーハウジング３３と電子制御ユニット４０の基板支持部材４１とを別体構造とした場合について説明したが、図５に示すようにこれらを一体に成型しても良い。
図５では、カバーハウジング３３と基板支持部材４１との間を、導電体２５の挿通位置で部分的に連絡する場合を示すが、両者の連絡範囲はカバーハウジング３３の側部３２の全長に亘る範囲であっても良い。
【００２１】
【発明の効果】
本発明は以上説明したようになるから次の効果を得ることができる。
＜イ＞電磁弁カバーの底部をハウジングの据付面に接面させてシール面積を大きく確保できる。
そのため、電磁弁カバーとハウジングの当接部のシール性に対する信頼性が高くなると共に、内部の電磁弁等の電装部品を長期に亘って保証できる。
＜ロ＞シール面積を大きく確保できるので、電磁弁カバーの底部に設けるシール材が形状的な制約を受けなくなり、安価でシール性の高いシール材を使用できる。
＜ハ＞従来は電磁弁カバーをボルト止めしていたが、本発明では電磁弁を構成するコイルアッシーの取着手段を兼用して取着でき、部品点数の削減と装置の小形化が図れる。
【図面の簡単な説明】
【図１】一部を破断した液圧制御装置の縦断面図
【図２】電磁弁カバーに制御基板を内蔵したインテグラルタイプに適用した他の実施の形態の説明図
【図３】液圧ユニットに電子制御ユニットを一体化させたインテグラルタイプに適用した他の実施の形態の説明図
【図４】図３における丸枠ＩＶの拡大図
【図５】図３の電磁弁カバーのカバーハウジングと電子制御ユニットの基板支持部材とを一体化した他の実施の形態の説明図
【図６】本発明が前提とする液圧制御装置の一例の説明図
【符号の説明】
１０      液圧ユニットのハウジング
１１      ハウジングの据付面
１２      ボア孔
１３      ハウジングの側面
１４      ハウジングの側面
１５      案内孔
２０      電磁弁
２１      弁アッシー
２２      コイルアッシー
２３      グリップリング
２４      コイル端子
２５      導電体
３０，３０Ａ，３０Ｂ    電磁弁カバー
３１      底部
３２      側部
３２ａ    溝部
３２ｂ    接続孔
３３      カバーハウジング
３４      蓋
３５      嵌挿孔
３６      シール材
３７      窓穴
３８      シール部材
４０      電子制御ユニット
４１      基板支持部材
４１ａ    基板支持部材の底面
４１ｂ    接続突起
４１ｃ    シール
４１ｄ    シール材
４２      基板カバー
４３      制御基板
５０      モータ
５１      モータ側の接続端子
【図１】
0003617022.tif 000002
【図２】
0003617022.tif 000003
【図３】
0003617022.tif 000004
【図４】
0003617022.tif 000005
【図５】
0003617022.tif 000006
【図６】
0003617022.tif 000007